(57)【特許請求の範囲】
【請求項１】
商品購入用のコインを投入する自動販売機用のコイン投入口において、
ステンレス鋼よりプレス加工によって形成され、コイン投入用の開口を有した口金と、 前記口金をステンレス鋼以外の金属で構成された本体と絶縁して前記口金が電蝕作用を受けないようにした絶縁性樹脂部材より構成され、
前記絶縁性樹脂部材は、前記口金と一体にされたコイン受けであることを特徴とする自動販売機のコイン投入口。
【請求項２】
商品購入用のコインを投入する自動販売機用のコイン投入口において、
ステンレス鋼よりプレス加工によって形成され、コイン投入用の開口を有した口金と、 前記口金をステンレス鋼以外の金属で構成された本体と絶縁して前記口金が電蝕作用を受けないようにした絶縁性樹脂部材より構成され、
前記絶縁性樹脂部材は、前記口金の周囲にモールドされて前記口金をパネルと絶縁して装着する台座であることを特徴とする自動販売機のコイン投入口。
【発明の詳細な説明】
【０００１】
【発明の属する技術分野】
本発明は自動販売機や券売機のコイン投入口に関し、特に、美観、耐蝕性に優れるとともに加工が容易な自動販売機のコイン投入口に関する。
【０００２】
【従来の技術】
自動販売機や券売機には、購買者がコインを投入するためのコイン投入口が設けられている。
【０００３】
図７は、従来のコイン投入口を示し、亜鉛を鋳造して形成される投入口部材１１と、投入口部材１１の正面側に設けられる凹状の前面部１２と、投入されるコインのサイズに応じて前面部１２に設けられる開口１３を有する。
【０００４】
図８は、図７におけるＣ−Ｃ部の断面を示し、投入口部材１１の表面を保護するＣｕ−Ｎｉ−Ｃｒめっき１１Ａと、コイン投入側の背面に設けられて投入口部材１１を自動販売機等に固定するためのビス孔１４を有し、自動販売機の前面パネルに投入口部材１１を配置し、内部側から前面パネルのねじ孔（図示せず）を通してビス孔１４にビスをねじ込むことによって投入口部材１１を前面パネルにビス止めする。
【０００５】
【発明が解決しようとする課題】
しかし、従来のコイン投入口によると、鋳造材を用いるので成形に手間を要し、かつ、鋳造材の表面を保護するめっき処理等を施しているため、コスト高となる。また、めっきの剥離が生じることで美観が著しく損なわれるとともにコイン投入口の耐候性が低下する。また、コイン投入口と異なる金属で形成される自動販売機の本体とコイン投入口が接触すると、異種金属の接触に起因する電位差腐蝕を発生させるという問題がある。
従って、本発明の目的は美観、耐久性、加工性に優れ、自動販売機の本体との電位差腐蝕を生じることのない自動販売機のコイン投入口を提供することにある。
【０００６】
【課題を解決するための手段】
本発明は上記目的を達成するため、商品購入用のコインを投入する自動販売機用のコイン投入口において、ステンレス鋼よりプレス加工によって形成され、コイン投入用の開口を有した口金と、前記口金をステンレス鋼以外の金属で構成された本体と絶縁して前記口金が電蝕作用を受けないようにした絶縁性樹脂部材より構成され、前記絶縁性樹脂部材は、前記口金と一体にされたコイン受けであることを特徴とする自動販売機のコイン投入口を提供する。
【０００７】
本発明は上記目的を達成するため、商品購入用のコインを投入する自動販売機用のコイン投入口において、ステンレス鋼よりプレス加工によって形成され、コイン投入用の開口を有した口金と、前記口金をステンレス鋼以外の金属で構成された本体と絶縁して前記口金が電蝕作用を受けないようにした絶縁性樹脂部材より構成され、前記絶縁性樹脂部材は、前記口金の周囲にモールドされて前記口金をパネルと絶縁して装着する台座であることを特徴とする自動販売機のコイン投入口を提供する。
【０００８】
【発明の実施の形態】
以下、本発明の自動販売機のコイン投入口を図面を参照して詳細に説明する。
【０００９】
図１は、本発明の第１の実施の形態に係る自動販売機のコイン投入口を示し、ステンレス鋼板をプレス加工して形成された投入口部材１と、投入口部材１の正面側に設けられる凹状の前面部１Ａと、投入されるコインのサイズに応じて前面部１Ａに設けられる開口１Ｂと、絶縁性の樹脂材料で形成されて投入口部材１の背面側に固定されたコイン受け２と、コイン受け２に設けられた投入口取付部２Ａを有する。
【００１０】
図２は、図１のＡ−Ａ部における断面を示し、投入口部材１は、コイン受け２に設けられた固定部２Ｂに接着されて一体的に固定されている。この投入口部材１は、耐海水用フェライト系ステンレス鋼板をプレス加工によって成形している。また、他のステンレス鋼板として、ＳＵＳ３０４，３０５，３１６等のオーステナイトステンレス鋼板を使用することもできる。このようなステンレス鋼板を投入口部材１に用いるときは、取り付ける自動販売機に応じて適切な表面粗さのステンレス鋼板を選択する。
【００１１】
コイン受け２は、投入口部材１の開口１Ｂから投入されたコインをコインメカに誘導するとともに、投入口取付部２Ａ（図示せず）にビス等を貫入して投入口部材１を自動販売機の本体に固定する。また、自動販売機との固定時に本体を構成する鋼板と投入口部材１が接触すると、異種金属の接触に起因する電位差腐蝕が生じ、この接触部分の耐久性を著しく低下させることから、投入口部材１と本体を電気的に絶縁している。
【００１２】
上記した自動販売機のコイン投入口では、ステンレス鋼板をプレス加工によって成形しているので、加工性を高めることができる。また、ステンレス鋼板を使用することで耐候性が向上し、長期にわたって美観を損なうことがなく、めっき等の表面処理が不要となるので製造コストを安価にすることができる。
【００１３】
また、コイン投入口の装飾性を高めるものとして、カラーステンレス鋼板を使用しても良い。また、耐蝕性、耐摩耗性を高めるものとして、物理蒸着、化学蒸着等の手法により表面改良層を形成することもできる。
【００１４】
図３は、本発明の第２の実施の形態に係る自動販売機のコイン投入口を示し、第１の実施の形態と共通する構成については同一の引用数字を付しているので、重複する説明を省略する。
【００１５】
このコイン投入口は、投入口部材１と同一の耐海水用フェライト系ステンレス鋼板によって形成されたコイン受け３を有し、コイン受け３は接合部ａ，ｂで溶接されて投入口部材１に一体化されている。コイン受け３の側面部には、投入口部材１を自動販売機の本体に固定するための投入口取付部３Ａと、投入口部材１を自動販売機の本体と絶縁する絶縁部３Ｂを有する。
【００１６】
上記した自動販売機のコイン投入口では、コイン受け３に設けられる投入口取付部３Ａに絶縁部３Ｂを設け、投入口取付部３Ａに貫入されるビスと投入口部材１、及びコイン受け３を自動販売機の本体と絶縁することによって、コイン投入口の電位差腐蝕を防止するとともに耐候性を高めることができる。
【００１７】
図４は、本発明の第３の実施の形態に係る自動販売機のコイン投入口を示し、第１の実施の形態と共通する構成については同一の引用数字を付しているので、重複する説明を省略する。
【００１８】
このコイン投入口は、投入口部材１と同一の耐海水用フェライト系ステンレスよりなるシャフト４を有し、このシャフト４を投入口部材１の上部及び下部に貫通させている。投入口部材１の側面に突出したシャフト４は自動販売機の本体に固定する際の固定部となる。
【００１９】
上記した自動販売機のコイン投入口では、投入口部材１にシャフト４を貫通させて自動販売機の本体への固定に用いる固定部を形成しており、投入口部材１を簡易な方法で自動販売機の本体に固定することを可能にする。投入口部材１又はシャフト４が自動販売機の本体に当接するときは、その当接部分を絶縁して固定する。
【００２０】
図５は、本発明の第４の実施の形態に係る自動販売機のコイン投入口を示し、第１の実施の形態と共通する構成については同一の引用数字を付しているので、重複する説明を省略する。
【００２１】
このコイン投入口は、投入口部材１の背面側に絶縁性の樹脂材料からなる台座部５をモールドして形成されている。
【００２２】
図６は、図５のＢ−Ｂ部における断面を示し、投入口部材１は、台座部５をモールドされる部分にリブ１Ｃを有し、モールド成形された台座部５の脱落を防止している。
【００２３】
上記した自動販売機のコイン投入口では、投入口部材１の背面側に絶縁性の樹脂材料の台座部５を一体的にモールド成形しているので、この台座部５を接着等で固定することで、投入口部材１を自動販売機の本体と絶縁するとともに容易に取り付けることができる。
【００２４】
上記した各実施の形態は、自動販売機にコイン投入口を取り付ける場合について説明したが、券売機や両替機等の他の機器に適用することもできる。
【００２５】
【発明の効果】
以上説明した通り、本発明の自動販売機のコイン投入口によると、ステンレス鋼板のプレス加工によって形成された投入口部材を絶縁性樹脂部材を介して自動販売機の本体と絶縁して取り付けるようにしたため、コイン投入口に優れた美観、耐久性、加工性を付与し、自動販売機の本体と固定される部分の電位差腐蝕を生じないようにすることができる。
【図面の簡単な説明】
【図１】本発明の第１の実施の形態における自動販売機のコイン投入口を示す説明図。
【図２】図１のＡ−Ａ部における断面図。
【図３】本発明の第２の実施の形態における自動販売機のコイン投入口を示す説明図。
【図４】本発明の第３の実施の形態における自動販売機のコイン投入口を示す説明図。
【図５】本発明の第４の実施の形態における自動販売機のコイン投入口を示す説明図。
【図６】図５のＢ−Ｂ部における断面図。
【図７】従来の自動販売機のコイン投入口を示す説明図。
【図８】図７のＣ−Ｃ部における断面図。
【符号の説明】
１，投入口部材
１Ａ，前面部
１Ｂ，開口
１Ｃ，リブ
２，コイン受け
２Ａ，投入口取付部
２Ｂ，固定部
３，コイン受け
３Ａ，投入口取付部
３Ｂ，絶縁部
４，シャフト
５，台座部
１１，投入口部材
１１Ａ，Ｃｕ−Ｎｉ−Ｃｒめっき
１２，前面部
１３，開口
１４，ビス孔
ａ，ｂ，接合部
【図１】
0003582567.tif 000002
【図２】
0003582567.tif 000003
【図３】
0003582567.tif 000004
【図４】
0003582567.tif 000005
【図５】
0003582567.tif 000006
【図６】
0003582567.tif 000007
【図７】
0003582567.tif 000008
【図８】
0003582567.tif 000009